(57)【要約】      （修正有）【課題】豪雨や縦樋の詰まりなどに起因する雨樋でのオーバーフローによる被害を経済的に軽減するオーバーフローセンサを提供する。【解決手段】横向きの雨樋１の底部に底部を垂直方向に貫通して取付けられる縦管であり、且つ縦管の上端流入口は雨樋の満水レベルより下であるオーバーフロー管１０、又は横向きの雨樋の側壁部に側壁部を水平方向に貫通して取付けられる横管であり、且つ横管の内側流入口は雨樋の満水レベルより下であるオーバーフロー管により構成されており、オーバーフロー管からの排水を見て雨樋からのオーバーフローを未然に知る。雨樋からの排水を行う縦樋の詰まりセンサーとしても機能する。【選択図】図１
0003189518.tif 000002
【実用新案登録請求の範囲】
【請求項１】
横向きの雨樋内に流入した雨水が満水レベルに達するより前に当該雨樋内の雨水をオーバーフローさせるように当該雨樋に取付けられたオーバーフロー管により構成されたオーバーフローセンサ。
【請求項２】
雨樋からの排水を行う縦樋の詰まりセンサである請求項１に記載のオーバーフローセンサ。
【請求項３】
オーバーフロー管からの排水が人目に付くように当該オーバーフロー管が雨樋に取付けられる請求項１又は２に記載のオーバーフローセンサ。
【請求項４】
オーバーフロー管は、雨樋の底部に当該底部を垂直方向に貫通して取付けられる縦管であり、且つ当該縦管の上端流入口は雨樋の満水レベルより下である請求項１〜３の何れかに記載のオーバーフローセンサ。
【請求項５】
前記縦管の上端流入口は、雨樋の満水レベル近傍である請求項４に記載のオーバーフローセンサ。
【請求項６】
オーバーフロー管は、雨樋の側壁部に当該側壁部を水平方向に貫通して取付けられる横管であり、且つ当該横管の内側流入口は雨樋の満水レベルより下である請求項１〜３の何れかに記載のオーバーフローセンサ。
【請求項７】
前記横管の内側流入口は雨樋の満水レベル近傍である請求項６に記載のオーバーフローセンサ。
【考案の詳細な説明】
【技術分野】
【０００１】
本考案は、軒樋や谷樋などの横向きの雨樋からのオーバーフローを未然に検知する雨樋用のオーバーフローセンサに関し、雨樋からの排水を行う縦樋の詰まりセンサとしても利用可能なオーバーフローセンサに関する。
【背景技術】
【０００２】
近年、１０年に一度、数１０年に一度というような集中豪雨、ゲリラ豪雨が各地で頻発している。そのような集中豪雨、ゲリラ豪雨に見舞われると、先ずは雨樋でオーバーフローが発生する。雨樋でオーバーフローが簡単に発生するのは、近年の集中豪雨、ゲリラ豪雨における雨量を雨樋の設計時に想定していないからであり、縦樋を通した設計排水量より多量の雨水が軒樋、谷樋といった横方向の雨樋に流入することによる。
【０００３】
雨樋でのオーバーフローの問題は、集中豪雨、ゲリラ豪雨によるだけでなく、雨樋からの排水を行う縦樋の詰まりによっても簡単に発生する。
【０００４】
このようなことから雨樋でのオーバーフローによる被害を軽減することが昔から求められており、この観点から軒樋を２重構造とすることは特許文献１により提示されている。軒樋を２重構造とすればオーバーフローは防止できるが、雨樋に要するコストが著しく高くなる。このようなことから、雨樋でのオーバーフローによる被害を経済的に軽減できる対策が、昨今の状況に鑑み希求されている。
【先行技術文献】
【特許文献】
【０００５】
【特許文献１】特開昭０３−３２３１９２号公報
【考案の概要】
【考案が解決しようとする課題】
【０００６】
本考案の目的は、雨樋でのオーバーフローによる被害を経済的に軽減することにあり、より具体的には、軒樋や谷樋などの横向きの雨樋からのオーバーフローを複雑な機構や電気回路を用いることなく極めて経済的に事前検知でき、縦樋の詰まりセンサとしても有効な雨樋用のオーバーフローセンサを提供することにある。
【課題を解決するための手段】
【０００７】
前記目的を達成するために、本考案のオーバーフローセンサは、横向きの雨樋内に流入した雨水が満水レベルに達するより前に当該雨樋内の雨水をオーバーフローさせるように当該雨樋に取付けられたオーバーフロー管により構成される。
【０００８】
本考案のオーバーフローセンサによると、豪雨や縦樋の詰まりなどによって雨樋に流入する雨水が増えてオーバーフローが近づくと、オーバーフローより前にオーバーフロー管から雨水が排出され始める。オーバーフロー管からの排水は最初は僅かであるものの、通常の降雨ではみられない現象なので、この僅かの排水により、人々は雨樋がオーバーフローに近づいているのを知ることができる。
【０００９】
オーバーフローが縦樋の詰まりによる場合は、本考案のオーバーフローセンサは、その詰まりセンサとして機能する。
【００１０】
オーバーフロー管としては、雨樋の底部に当該底部を縦方向に貫通して取付けられた縦管（上端の流入口は雨樋の満水レベルより下であり、望ましくは満水レベル近傍）、或いは雨樋の側壁部に当該側壁部を横方向に貫通して取付けられた横管（内側の流入口は雨樋の満水レベルより下であり、望ましくは満水レベル近傍）などを挙げることができる。
【００１１】
オーバーフロー管は本来の排水管ではなく、排水を見て雨樋のオーバーフローや縦樋の詰まりを知る検知器であるので、特に管径を問うものではないが、多くの排水量を必要とするわけではなく、むしろ排水量が多くなると不都合を招くおそれがあるので、大径である必要はなく、例えば６０ｍｍ程度が適当である。
【考案の効果】
【００１２】
本考案のオーバーフローセンサは、オーバーフロー管という簡単な機械的構成により、豪雨や縦樋の詰まりによる雨樋からのオーバーフローを関係者に事前に知らせることができるので、雨樋でのオーバーフローによる被害を可及的に軽減することができ、しかも、その被害軽減に要するコストは極めて僅かであり、経済性に著しく優れる。
【図面の簡単な説明】
【００１３】
【図１】本考案の第１実施形態を示すオーバーフローセンサの構成図で立面図である。
【図２】本考案の第２実施形態を示すオーバーフローセンサの構成図で立面図である。
【考案を実施するための形態】
【００１４】
以下に、本考案の実施形態を、図面を参照しながら具体的かつ詳細に説明する。
【００１５】
第１実施形態のオーバーフローセンサは、図１に示すように、軒樋１（ここでは内樋）からのオーバーフローを未然に検知するものであり、その軒樋１の底板部に当該底板部を垂直に貫通して取付けられた直管状で縦型のオーバーフロー管１０により構成されている。
【００１６】
縦型のオーバーフロー管１０は、軒樋１の底板部より上に垂直に配置された立ち上げ管１１と、その取付け部として底板部からその下にかけて設置された取付けベース１２とからなる。立ち上げ管１１の上端は雨水流入口であり、軒樋１の満水レベルより下で且つ満水レベルの近傍に位置している。その雨水流入口には、異物の侵入を阻止して詰まりを防止するために、パンチングメタルからなるキャップが装着されている。
【００１７】
取付けベース１２は、上端部にフランジを有する内筒と、同じく上端部にフランジを有する外筒とがねじ込みにより組み合わされた２筒構造のドレンである。そして、軒樋１の底板部に形成された開口部に上から内筒を差し込み、その内筒に下から外筒をねじ込むことにより、当該取付けベース１２が底板部の開口部周囲に挟持固定されると共に、内筒のフランジ上に接合された立ち上げ管１１が軒樋１内の底板部上に立設される。
【００１８】
第１実施形態のオーバーフローセンサによると、軒樋１に流入する雨水が増え、そのレベルが上昇してオーバーフロー管１０の上端レベルに到達すると、その軒樋１内の雨水がオーバーフロー管１０内に流入し始める。そうすると、軒樋１内の雨水がオーバーフロー管１０を介して下方へ流出し始める。この段階では、軒樋１内の雨水は満水レベルには達していない。すなわち、軒樋１でのオーバーフローに先立ってオーバーフロー管１０から雨水が排出され始める。
【００１９】
オーバーフロー管１０からの排水は人目に付き易く、普段は発生しない現象であるので、最初の僅かの排水期間中でも、人々はこれに気づき、軒樋１でのオーバーフローが近いことを認識することができる。この段階で、オーバーフロー対策を講じ始めることにより、オーバーフローによる被害を最小限にくい止めることができる。
【００２０】
かくして、第１実施形態のオーバーフローセンサにより、豪雨や縦樋の詰まりによる軒樋１でのオーバーフローを未然に検知することができ、縦樋の詰まりセンサとしても機能する。しかも、このオーバーフローセンサは、基本的にオーバーフロー管１０からなり、可動部や電気的な構成部分はもとにより、複雑な構造部分すら有しない。したがって、それ自体が極めて経済的で低コストであると共に、施工にも要するコストも僅かである。
【００２１】
第２実施形態のオーバーフローセンサは、図２に示すように、建屋３と建屋３の屋根間に設けられた谷樋２からのオーバーフローを未然に検知するものであり、その谷樋２の側壁部に当該側壁部を水平に貫通して取付けられた直管状で横型のオーバーフロー管１０により構成されている。
【００２２】
横型のオーバーフロー管１０は、入口側の端部にフランジを有する内筒と、同じく入口側の端部にフランジを有する外筒とがねじ込みにより組み合わされた２筒構造のドレンである。そして、谷樋２の側壁部に形成された開口部に内側から内筒を差し込み、その内筒に外側から外筒をねじ込むことにより、当該オーバーフロー管１０は谷樋２の側壁部から外側へ突出した状態で当該側壁部に取付けられる。
【００２３】
オーバーフロー管１０の取付けレベルは、当該谷樋２の満水レベルより下の満水レベル近傍である。谷樋２内に臨む入口部にはメッシュからなるキャップが装着されている。一方、出口部は斜め下にカットされている。
【００２４】
第２実施形態のオーバーフローセンサによると、第１実施形態のオーバーフローセンサと同様に、豪雨や縦樋５の詰まりよる谷樋２でのオーバーフローに先立ってオーバーフロー管１０から雨水が排出され始めることにより、谷樋２でのオーバーフローが近いことを認識することができる。そして、この段階でオーバーフロー対策を講じ始めることにより、オーバーフローによる被害を最小限にくい止めることができる。
【００２５】
しかも、このオーバーフロー予知装置は、基本的にオーバーフロー管１０からなり、可動部や電気的な構成部分はもとにより、複雑な構造部分すら有しない。したがって、それ自体が極めて経済的で低コストであると共に、施工にも要するコストも僅かである。
【００２６】
このように、第１実施形態及び第２実施形態のオーバーフローセンサにおいては、オーバーフロー管１０からの排水は豪雨時だけでなく、図２に示すように、排水用の縦樋５が詰まった場合にも発生する。そのような場合のオーバーフローを事前に検知するのにも、これらのオーバーフローセンサは有効であるので、縦樋の詰まりセンサとしても機能するのである。
【００２７】
また、第１実施形態のオーバーフローセンサでは、オーバーフロー管１０は縦管であり、第２実施形態のオーバーフローセンサでは、オーバーフロー管１０は横管であるが、これに限るものではなく、斜管、Ｕ管などの曲管等で構成してもよい。
【符号の説明】
【００２８】
１：内樋形式の軒樋（雨樋）
２：谷樋（雨樋）
３：建屋
４：外壁
５：縦樋
１０：オーバーフロー管
１１：立ち上げ管
１２  取付けベース
【図１】
0003189518.tif 000003
【図２】
0003189518.tif 000004
【手続補正書】
【提出日】平成26年1月10日(2014.1.10)
【手続補正１】
【補正対象書類名】実用新案登録請求の範囲
【補正対象項目名】全文
【補正方法】変更
【補正の内容】
【実用新案登録請求の範囲】
【請求項１】
横向きの雨樋の底部に当該底部を垂直方向に貫通して取付けられる縦管であり、且つ当該縦管の上端流入口は雨樋の満水レベルより下であるオーバーフロー管、
又は横向きの雨樋の側壁部に当該側壁部を水平方向に貫通して取付けられる横管であり、且つ当該横管の内側流入口は雨樋の満水レベルより下であるオーバーフロー管により構成されており、
前記オーバーフロー管からの排水を見て前記雨樋からのオーバーフローを未然に知るオーバーフローセンサ。
【請求項２】
雨樋からの排水を行う縦樋の詰まりセンサである請求項１に記載のオーバーフローセンサ。
【請求項３】
オーバーフロー管からの排水が人目に付くように当該オーバーフロー管が雨樋に取付けられる請求項１又は２に記載のオーバーフローセンサ。
【請求項４】
前記縦管の上端流入口、又は前記横管の内側流入口は、雨樋の満水レベル近傍である請求項１に記載のオーバーフローセンサ。